(57)【要約】【課題】電界による粒子の回転を利用した表示装置に表示される像を、容易に修正及び作成することを可能にする表示装置を提供すること。【解決手段】本発明による表示装置は、少なくとも一方が透明電極である２つの電極間に設けられた表示層を有し、前記表示層が複数の表示粒子を有するところの表示手段と、前記２つの電極間に所望の電界を生じさせる駆動手段と、前記透明電極を介して前記表示層に作用する磁界に応答する表示粒子の位置を検出する検出手段を有する。各表示粒子の各々は、一部分の色彩、電気特性及び磁気特性が他の部分と異なり、前記表示層に印加される電界に応答して向きを変化させることが可能であり、前記表示層に作用する磁界に応答して向きを変化させることが可能であるよう形成される。前記検出手段の検出した位置に関する情報は、前記表示手段に表示される像に関する情報を記憶するための記憶手段に、記憶される。【選択図】  図１
2004219940.tif 000002
【特許請求の範囲】
【請求項１】
少なくとも一方が透明電極である２つの電極間に設けられ且つ複数の表示粒子を有する表示層を有する表示手段と、
前記２つの電極間に所望の電界を生じさせる駆動手段と、
前記透明電極を介して前記表示層に作用する磁界に応答する表示粒子の位置を検出する検出手段
を有し、各表示粒子の各々は、
一部分の色彩、電気特性及び磁気特性が他の部分と異なり、
前記表示層に印加される電界に応答して向きを変化させることが可能であり、
前記表示層に作用する磁界に応答して向きを変化させることが可能であるよう形成され、
前記検出手段の検出した位置に関する情報が、前記表示手段に表示される像に関する情報を記憶するための記憶手段に、記憶されることを特徴とする表示装置。
【請求項２】
更に、前記表示手段、前記駆動手段、及び前記検出手段の動作を制御する制御手段を有し、前記制御手段が、前記検出手段の検出した位置に関する情報を、一連の軌跡を表す情報として、前記憶手段に記憶させるよう形成されることを特徴とする請求項１記載の表示装置。
【請求項３】
前記制御手段が、前記駆動手段を利用して前記表示手段に表示される像に関する第１情報と、前記一連の軌跡を表す第２情報とを区別して、前記記憶手段に記憶させるよう形成されることを特徴とする請求項２記載の表示装置。
【請求項４】
更に、前記透明電極を介して前記表示層に作用させる磁界を形成するための磁性体より成る端部を有する情報入力手段を有することを特徴とする請求項１記載の表示装置。
【請求項５】
前記端部が電磁波を発生する手段を有し、前記検出手段が、前記端部から発せられる電磁波の強度に基づいて、前記端部の位置を検出するよう形成されることを特徴とする請求項４記載の表示装置。
【発明の詳細な説明】
【０００１】
【発明の属する技術分野】
本発明は、電界による粒子の回転を利用して像を表示させる表示装置に関する。
【０００２】
【従来の技術】
近年注目されている電子ペーパ、ペーパーライクディスプレイ、ディジタルペーパ等と言及される表示装置は、印加する電界を変化させ、光学的吸収係数又は光学的反射係数を変化させることで、像を形成するのが一般的である。この種の表示装置は、メモリ機能を備えることによって、電力供給を遮断している間も像情報を保持することが可能である。また、表示装置は、電極を備えたＰＥＴ（ポリエチレンテレフタレート）フィルムを利用して作成することも可能であるため、柔軟性や軽薄化等の観点から優れた性質を有し、紙の代替物としても期待されている。
【０００３】
この種の表示装置は、一方が透明である２つの電極間に表示層を挟んだ構造を有する。表示層には、多数の穴が設けられ、それらの穴には誘電性の液体と、穴の中で回転可能な粒子が含まれる。粒子の一部分の色及び電気特性は、他の部分のものと異なるよう形成される。従って、この粒子の受ける電界の向きを変化させると、それに応じて粒子が穴の中で回転し、透明電極を通じて表示される粒子の色が変化する。このような粒子の受ける電界を適宜制御することで、所望の像を形成することが可能になる。なお、従来の表示装置に関しては、例えば、特許文献１，特許文献２，特許文献３又は特許文献４を参照されたい。
【０００４】
【特許文献１】
特開平１−８６１１６号公報
【０００５】
【特許文献２】
米国特許第４，１２６，８５４号明細書
【０００６】
【特許文献３】
米国特許第４，１４３，１０３号明細書
【０００７】
【特許文献４】
米国特許第５，２６２，０９８号明細書
【０００８】
【発明が解決しようとする課題】
従来の表示装置では、電極間の表示層に電界を印加することで像が表示されるので、像に追記するような修正をする場合にも電極間に印加する電圧を変化させる必要がある。しかしながら、電極間に印加する電圧を変化させるには、充分な電力が供給されている状態で、各粒子の属する画素やセグメント等の表示要素に関連する電極の電圧を、個々に制御することが必要であり、像の修正や作成は必ずしも容易でなく不便であった。
【０００９】
本願の課題は、電界による粒子の回転を利用した表示装置に表示される像を、容易に修正及び作成することを可能にする表示装置を提供することである。
【００１０】
【課題を解決するための手段】
本発明によれば、
少なくとも一方が透明電極である２つの電極間に設けられた表示層を有し、前記表示層が複数の表示粒子を有するところの表示手段と、
前記２つの電極間に所望の電界を生じさせる駆動手段と、
前記透明電極を介して前記表示層に作用する磁界に応答する表示粒子の位置を検出する検出手段
を有し、各表示粒子の各々は、
一部分の色彩、電気特性及び磁気特性が他の部分と異なり、
前記表示層に印加される電界に応答して向きを変化させることが可能であり、前記表示層に作用する磁界に応答して向きを変化させることが可能であるよう形成され、
前記検出手段の検出した位置に関する情報が、前記表示手段に表示される像に関する情報を記憶するための記憶手段に、記憶されることを特徴とする表示装置
が、提供される。
【００１１】
【発明の実施の形態】
図１は、本願実施例による表示装置の主要な機能に関するブロック図を示す。表示装置１００は、表示装置内の各手段の動作を制御する制御手段１０２と、像を表示する表示手段１０４と、制御手段１０２の制御の下に、像を形成するための電圧を表示手段１０４に印加する駆動手段１０６とを有する。表示装置１００は、表示手段１０４に表示される像に関する情報を記憶する記憶手段１０８を有する。表示装置１００は、磁界を利用して、表示手段１０４に表示される像を修正するための入力手段１１０を有する。更に、表示装置１００は、入力手段１１０から生じる磁界に応答して変化した像に関する情報を検出する検出手段１１２を有する。
【００１２】
図２は、図１の表示手段１０４の詳細図を示す。表示手段１０４は、駆動手段１０６に接続される透明電極２０２及び金属電極２０４を有する。透明電極２０２及び金属電極２０４の間には、表示層２０６が設けられる。透明電極２０２は、例えば、ＩＴＯ付きのＰＥＴフィルムとアルミの蒸着されたＰＥＴフィルムとを張り合わせることによって作成される。
【００１３】
表示層２０６は、球状の複数の穴２０８を有し、例えばシリコーンゴムより成る基体２１０より成る。基体２１０の中の複数の穴２０８の各々には、球状の粒子２１２が包含されており、穴２０８と粒子２１２との隙間は、例えばシリコーンオイルのような所定の誘電率を有する液体で満たされている。粒子２１２は、例えば５０μｍないし１００μｍ程度の大きさを有し、２つの半球部分のうち一方の色彩、電気特性及び磁気特性が、他方のものと相違するよう形成される。従って、粒子２１２は、電極間に生じる電界の向きに応答して回転することによって、その粒子の属する画素又はセグメントの色彩を変化させ、像を形成することが可能である。また、後述するように、粒子２１２は、透明電極２０２を介して表示層２０６に作用する磁界に応答して回転することによって、その粒子の属する画素又はセグメントの色彩を変化させ、像を形成することも可能である。
【００１４】
図３は、このように着色され、電気及び磁気特性を有する粒子２１２の製法を説明するための図である。図３（Ａ）に示されるように、所定の色彩、電気特性及び磁気特性を有する樹脂層３０２を用意する。本実施例における樹脂層３０２は、低密度ポリエチレン（メルトインデックス１５０）６１重量部と、カーボンブラック（キャボット製のＲ６６０）２重量部と、マグネタイト（戸田工業製のＥＰＴ−１０００）３７重量部とをロールミルで混練した黒色のフィルムである。
【００１５】
図３（Ｂ）に示される工程では、樹脂層３０２とは異なる色彩、電気特性及び磁気特性を有する樹脂層３０４を用意する。樹脂層３０４は、低密度ポリエチレン（メルトインデックス１５０）８０重量部と、二酸化チタン（チタン工業製のＣＲ−５８）４０重量部をロールミルで混練した白色のフィルムである。黒色の樹脂層３０２及び白色の樹脂層３０４の混合物をそれぞれ厚さ２０μｍのフィルム状に圧延成形する。これを加熱及び加圧することで、両者を熱融着させる。なお、色彩、電気特性及び磁気特性は、樹脂層３０２と樹脂層３０４との間で相対的に異なっていればよいので、一方に着色剤や磁性材料を混入し他方に混入しないようにすることも可能であるし、双方に混入することも可能である。
【００１６】
図３（Ｃ）に示す工程では、先の工程で作成した積層フィルム３０２，３０４を、例えば丸刃、カッター、レーザ等を利用して、例えば５０μｍ×５０μｍのタイル状に切断し、樹脂片３０６に裁断する。裁断の工程は、裁断後の樹脂片３０６を回収及び搬送しやすくするため、例えばポリイミドより成るカプトンフィルムのようなキャリアフィルム上で行われる。その後に、樹脂片３０６は、高温のシリコーンオイルに浸漬され、樹脂片３０６の角を溶かして球形化させ、例えば粒径４０μｍの球状の２色粒子３０８を作成する。例えばシリコーンオイルである樹脂を溶解させる溶剤の温度は、樹脂の融点より高く設定され、例えば１００℃ないし２００℃の範囲内の温度であり、本実施例では１９０℃に設定されている。
【００１７】
樹脂層３０２，３０４に使用され得る樹脂としては、ポリエチレンに加えて、ポリスチレン、アクリル、ポリエステル、ポリプロピレン等の熱可塑性樹脂、パラフィンワックス、カルナバワックス等のワックスを利用することも可能である。また、着色剤としては、二酸化チタン、二酸化ケイ素、硫酸バリウム、炭酸カルシウム、アルミナ等の白色顔料、カーボンブラック、マグネタイト等の黒色材料、フタロシアニン顔料、アゾ顔料、キナクリドン顔料、ペリレン顔料、ペノリン顔料等の顔料、染料その他の着色剤を利用することが可能である。
【００１８】
磁性体としては、鉄、ニッケル、鉄−ニッケル合金、鉄−ニッケル−クロム合金、コバルト、コバルト−アルミニウム合金、サマリウム−コバルト合金、酸化鉄のような金属、金属酸化物等がある。本発明では、電気的及び磁気的特性の両方を利用するので、磁性に加えて、粒子の帯電性の観点からは、酸化鉄であるマグネタイト（Ｆｅ３Ｏ４）を利用することが有利である。磁界駆動を実現するためには、保磁力の高い磁性体であることが望ましく、また、その濃度は例えば１０ｗｔ％以上であることが望ましい。マグネタイトは、例えば、ＢＬ−１００、ＢＬ−２００、ＢＬ−２５０（チタン工業製）、ＭＴＳ−３０４、ＭＴＨ−３１０、ＥＰＴ−１０００等のように磁性トナーに使用されるものを代用することが可能である。また、樹脂への分散性を高める観点から、シランカップリング剤等で表面処理を行うことも有利である。
【００１９】
本実施例では、２つの樹脂層３０２，３０４をフィルム上に平面的に積層して裁断したが、各樹脂を繊維状に（線状に）加工し、融着することで２色の複合繊維を作成することも可能である。この複合繊維を裁断すれば、本実施例における樹脂片３０６と同様のものが得られる。樹脂片を作成するスループットを向上させる観点からは、このような複合繊維を作成することが望ましい。
【００２０】
また、樹脂片３０６を得るために、カッター等で寸法を揃えて樹脂層を切断したが、切断ではなく粉砕することで樹脂片３０６を形成することも可能である。更に、樹脂層３０２，３０４を圧延ではなく、溶解液の状態で塗布することで各層を成膜することも可能である。このように、様々な手法を利用して、所定の部分に所定の色彩、電気特性及び磁気特性を有する粒子３０８を形成することが可能である。
【００２１】
図１に戻って、駆動手段１０６は、制御手段１０２からの指示に基づいて、表示手段１０４の各電極２０２，２０４（図２）に印加する電圧を調整する。これにより、表示層２０６に電界がかけられ、この電界に応答して粒子２１２が回転し、透明電極２０２を通じて像が表示される。駆動手段１０６により印加される電圧が変化すると、表示される像も変化する。表示手段１０４に表示する像に関する情報は、記憶手段１０８に記憶されている。この情報に基づいて、制御手段１０２が駆動手段１０６を制御することで、表示手段１０４に所望の像が表示される。入力手段１１０は、表示手段１０４に磁界を作用させて、像を修正するためのものである。
【００２２】
図４に示されるように、例えばペン状の形態を有する入力手段１１０の先端部には、磁性体４０２が取り付けられている。磁性体としては、粒子に使用されるような上述の任意の磁性材料を利用することが可能である。しかし、入力手段１１０は、磁界を感知できれば充分であるところの粒子２１２とは異なり、積極的に磁界を発生する必要がある。このため、フェライト、ネオジム（ネオジウム（Ｎｄ），鉄（Ｆｅ），硼素（Ｂ）の焼結物）、サマリウム・コバルト（サマリウム（Ｓｍ），コバルト（Ｃｏ）の焼結物）のような磁性の強い材料を使用することが好ましい。
【００２３】
入力手段１１０の先端部（先端部の磁性体）４０２が表示層２０６に近づくと、そこから発せられる磁界が、表示層２０６内の粒子２１２に作用する。粒子２１２の有する磁気特性に依存して、粒子２１２は、磁界に応答して向きを変化させる又は回転する。入力手段４０２からの磁界が充分に及ばない場所の粒子２１２’は、その磁界によっては影響されない。このため、入力手段１１０を利用して、表示層２０６における所望の箇所に磁界を作用させることで、その箇所の色彩を変化させ、表示された像を修正することが可能になる。なお、入力手段１１０に設ける磁性体の種類を複数用意することも有利である。例えば、Ｎ極とＳ極のような極性の異なる先端部を２種類用意して、一方の磁性体で色を変化させた部分を、他方の磁性体で元に戻すようにすることが可能である。また、色を変化させる領域の広さ又は線幅に応じて、磁界の作用範囲の異なる複数の先端部を用意することも有利である。
【００２４】
検出手段１１２は、この入力手段１１０の先端部４０２の位置を検出する。検出した位置に関する情報は、記憶手段１０８に記憶される。先端部の検出については、以下に例示するような様々な手法を利用することが可能である。
【００２５】
図５は、超音波のような電磁波を利用して、先端部４０２の位置検出を行う様子を示す。この図は、概して、表示手段１０４の表示面を示す。表示面を規定する透明電極２０２の隅には、超音波センサ５０２，５０４，５０６，５０８が設けられている。入力手段１１０の先端部４０２には、磁性体に加えて、超音波発振器（図示せず）が設けられている。先端部４０２が、表示面上の点Ｐにあるとすると、この地点から発せられる超音波が、各センサ５０２ないし５０８に到達する。各センサ５０２ないし５０８では、超音波の受信強度に基づいて各センサから超音波発信源までの距離を測定し、それらの距離に基づいて、例えば三角測量法等を利用して、点Ｐの座標が見出される。なお、超音波センサの個数及び取り付け場所は、用途に応じて適宜変更することが可能である。
【００２６】
図６は、可視光線を利用して、先端部４０２の位置検出を行う様子を示す。この手法では、透明電極２０２上に、光を周囲に伝搬させることが可能な導光シート６０２が設けられている。入力手段１１０の先端部４０２には、磁性体に加えて、光発振器（図示せず）が設けられている。更に、導光シート６０２の周囲には、光強度を検出するための第１光センサ６０４及び第２光センサ６０６が設けられている。先端部４０２が、表示面上の点Ｐにあるとすると、この地点から発せられる光が、導光シート６０２を通じて、第１及び第２光センサ６０４，６０６に到達する。第１光センサ６０４で検出される光強度Ｉｘは、表示面のＸ軸方向に関する光の強度分布を示し、点ＰのＸ座標に対応する場所にピークが生じる。同様に、第２光センサ６０６で検出される光強度Ｉｙについても、点ＰのＹ座標に対応する場所にピークが生じる。これらにより、点Ｐの座標が見出される。
【００２７】
図７は、感圧機構を利用して、先端部４０２の位置検出を行う様子を示す。この手法では、透明電極２０２上に、互いにねじれの位置の関係にあるように隙間を隔てて電気配線７０２，７０４を設ける。表示面上の点Ｐを押圧すると、その場所に対応する上下の電気配線どうしが接触し、接点ノードを形成することで、点Ｐの座標を直接的に見出すことが可能になる。
【００２８】
図８は、例えば赤外線のような光線を利用して、先端部４０２の位置検出を行う様子を示す。この手法では、第１の方向に複数の光線８０２を並列に発する第１発光素子８０４と、それらの光線を個々に受信する第１受光素子８０６と、第２の方向に複数の光線８０８を並列に発する第２発光素子８１０と、それらの光線を個々に受信する第２受光素子８１２とを有する。各光線８０２，８０８は、透明電極２０２の上側を伝播し、総ての光線が各受光素子に受信されるよう伝播する。しかしながら、表示面上の点Ｐに、先端部４０２が存在すると、その先端部４０２により光線の一部が遮られる。従って、光線を受光していない又は減衰した強度の光線しか受光していない第１及び第２受光素子の場所に基づいて、点Ｐの座標を見出すことが可能である。
【００２９】
これらの手法及びその他の位置検出手法を利用して、入力手段１１０の先端部４０２の位置を、連続的に検出することが可能である。検出手段１１２で検出された先端部４０２の位置に関する情報は、制御手段１０２の制御の下に、記憶手段１０８に記憶される。従って、本実施例による表示装置１００は、入力手段１１０を利用して、表示される像を修正することが可能であることに加えて、修正する際の先端部４０２の軌跡（筆跡）を、一連の情報として保持することが可能になる。
【００３０】
表示装置１００を利用した像の表示及び像の修正は、概ね次のような手順になる。先ず、制御手段１０２は、記憶手段１０８に記憶されている像に関する第１情報に基づいて、表示手段１０４に電圧を印加する駆動手段１０６を利用して、表示手段１０４に像を表示させる。表示させるべき像がない場合は、白紙の状態を表示する。次に、入力手段１１０を利用して、像が修正される又は像が描かれる。入力手段１１０による像の修正又は描画は、駆動手段１０６によるものではなく、入力手段１１０の先端部４０２から発せられる磁界に基づいて行われる。像の修正又は描画に関する先端部４０２の軌跡は、検出手段１１２により検出され、一連の軌跡を表す第２情報として、記憶手段１０８に記憶される。修正前の像に関する第１情報と、修正内容に関する第２情報とを区別して記憶すると、例えば、修正内容を撤回して、修正前の像を表示させるような機能を、表示装置１００に与えることができる点で有利である。また、記憶内容を削減する等の観点からは、修正前の像に関する第１情報と、修正内容に関する第２情報とを区別せずに、両者を合成した像に関する情報のみを記憶するようにしても良い。
【００３１】
更に、記憶手段１０８を、表示装置外部の外部記憶手段と、表示装置内部の内部記憶手段に分割することも有利である。そのようにすると、外部データベースとして機能する外部記憶手段から、必要に応じて所望の像に関する情報を第１情報として内部記憶手段に取り込み、入力手段１１０による修正を行った後に、修正に関する第２情報と第１情報とを合成し、これを外部記憶手段に記憶させることで、外部データベースを更新することが可能になる。なお、第１情報と第２情報とを電子的に合成する代りに、修正後の像の全体をスキャニングして、直接的に画像を記憶するようにしても良い。
【００３２】
以上本願実施例によれば、着色された粒子は、電界だけでなく磁界にも応答することが可能であるため、駆動手段１０６によらず、表示手段１０４に表示された像を簡易に修正することが可能になる。像の修正は磁界を利用して行われるので、修正に関しては、外部からの電源供給は不要である。従って、本願実施例によれば、簡潔な構成の入力手段１１０を利用して、簡易に像を修正又は描画することが可能である。
【００３３】
本願実施例によれば、修正内容を例えば一連の軌跡情報として、像の情報と区別して記憶することができる。従って、例えば修正前後の像の情報を格納する場合に、本願実施例によれば、修正前の像の情報と、その差分を格納すればよいので、修正前後の像全体を格納する場合に比べて、記憶容量を節約することが可能になる。
【００３４】
以下、本発明により教示される手段を列挙する。
【００３５】
（付記１）  少なくとも一方が透明電極である２つの電極間に設けられ且つ複数の表示粒子を有する表示層を有する表示手段と、
前記２つの電極間に所望の電界を生じさせる駆動手段と、
前記透明電極を介して前記表示層に作用する磁界に応答する表示粒子の位置を検出する検出手段
を有し、各表示粒子の各々は、
一部分の色彩、電気特性及び磁気特性が他の部分と異なり、
前記表示層に印加される電界に応答して向きを変化させることが可能であり、
前記表示層に作用する磁界に応答して向きを変化させることが可能であるよう形成され、
前記検出手段の検出した位置に関する情報が、前記表示手段に表示される像に関する情報を記憶するための記憶手段に、記憶されることを特徴とする表示装置。
【００３６】
（付記２）  更に、前記表示手段、前記駆動手段、及び前記検出手段の動作を制御する制御手段を有し、前記制御手段が、前記検出手段の検出した位置に関する情報を、一連の軌跡を表す情報として、前記憶手段に記憶させるよう形成されることを特徴とする付記１記載の表示装置。
【００３７】
（付記３）  前記制御手段が、前記駆動手段を利用して前記表示手段に表示される像に関する第１情報と、前記一連の軌跡を表す第２情報とを区別して、前記記憶手段に記憶させるよう形成されることを特徴とする付記２記載の表示装置。
【００３８】
（付記４）  前記制御手段が、前記第１及び第２情報を合成した像に関する情報を前記記憶手段に記憶させるよう形成されることを特徴とする付記３記載の表示装置。
【００３９】
（付記５）  更に、前記透明電極を介して前記表示層に作用させる磁界を形成するための磁性体より成る端部を有する情報入力手段を有することを特徴とする付記１記載の表示装置。
【００４０】
（付記６）  前記端部が電磁波を発生する手段を有し、前記検出手段が、前記端部から発せられる電磁波の強度に基づいて、前記端部の位置を検出するよう形成されることを特徴とする付記５記載の表示装置。
【００４１】
（付記７）  前記検出手段が、前記透明電極上に、互いに隙間を隔てて設けられた電気配線を有し、前記端部を前記透明電極側に押圧すると、前記電気配線に電気接点が形成されることで、前記端部の位置が検出されるよう前記検出手段が形成されることを特徴とする付記５記載の表示装置。
【００４２】
（付記８）  前記検出手段が、前記透明電極の一方端から光を発する発光素子と他方端にて受光する受光素子を有し、前記端部が前記発光素子からの光を遮ることで、前記端部の位置を検出するよう形成されることを特徴とする付記５記載の表示装置。
【００４３】
【発明の効果】
以上のように本発明によれば、電界による粒子の回転を利用した表示装置に表示される像を、容易に修正及び作成することが可能になる。
【００４４】
【図面の簡単な説明】
【図１】図１は、本願実施例による表示装置の主要な機能に関するブロック図を示す。
【図２】図２は、図１に示される表示手段の詳細図を示す。
【図３】図３は、所定の電気及び磁気特性を有する２色粒子の製法を説明するための概念図を示す。
【図４】図４は、入力手段と表示手段の相互作用の様子を説明するための概念図を示す。
【図５】図５は、入力手段の先端部の位置を検出する手法を説明するための図である。
【図６】図６は、入力手段の先端部の位置を検出する手法を説明するための図である。
【図７】図７は、入力手段の先端部の位置を検出する手法を説明するための図である。
【図８】図８は、入力手段の先端部の位置を検出する手法を説明するための図である。
【符号の説明】
１００  表示装置
１０２  制御手段
１０４  表示手段
１０６  駆動手段
１０８  記憶手段
１１０  入力手段
１１２  検出手段
２０２  透明電極
２０４  金属電極
２０６  表示層
２０８  球状の穴
２１０  基体
２１２  ２色粒子
３０２，３０４  樹脂層
３０６  樹脂片
３０８  ２色粒子
４０２  入力手段の先端部
５０２，５０４，５０６，５０８  センサ
６０２  導光シート
６０４，６０６  光センサ
７０２，７０４  電気配線
８０２，８０８  光線
８０４，８１０  発光素子
８０６，８１２  受光素子
【図１】
2004219940.tif 000003
【図２】
2004219940.tif 000004
【図３】
2004219940.tif 000005
【図４】
2004219940.tif 000006
【図５】
2004219940.tif 000007
【図６】
2004219940.tif 000008
【図７】
2004219940.tif 000009
【図８】
2004219940.tif 000010